(57)【要約】      （修正有）【課題】複数の座標入力パネルを並べて、大きなひとまとまりの座標入力パネルセットや、複雑な形状の座標入力パネルセットを単一の制御回路で制御する。【解決手段】台形の片面を入力面とし、入力面と相対する面にシート抵抗値が均一な透明電極膜及び各辺内の抵抗分布が均一であるような台形の抵抗性周囲電極を設けた複数の座標入力パネル２１Ａ〜２１Ｄを、座標入力パネル２１Ａ〜２１Ｄの接続数が全ての行で列数が同一で、全ての列で行数が同一になるように組み合わせた座標入力パネルセット２９と、入力ペンとＡＣ信号を発生する制御基板から成り、入力ペンと透明電極膜との間に発生する容量結合を利用して座標検出を行う。【選択図】図４
2011008757.tif 000002
【特許請求の範囲】
【請求項１】
台形の片面を入力面とし、該入力面と相対する面にシート抵抗値が均一な透明電極膜及び各辺内の抵抗分布が均一であるような台形の抵抗性周囲電極を設けた複数の座標入力パネルを、該座標入力パネルの接続数が全ての行で列数が同一で、全ての列で行数が同一になるように組み合わせた座標入力パネルセットと、入力ペンとＡＣ信号を発生する制御基板から成り、前記入力ペンと前記透明電極膜との間に発生する容量結合を利用して座標検出を行う座標入力装置であって、隣り合う座標入力パネルの隣接する頂点同士を電気的に接続して電極接続部を形成し、四方を前記座標入力パネルに囲まれていない全ての電極接続部と、座標入力パネルの頂点のうち電極接続部ではない全ての頂点に引き出し線を設け、前記座標入力パネルセットの外周を、前記電極接続部ではない座標入力パネルの頂点を区切りとして４つの辺に分割し、前記複数の座標入力パネルは、台形である抵抗性周囲電極の少なくとも対向する辺の抵抗値を互いに等しく、且つ隣り合う座標入力パネルの隣接する辺の抵抗値及び前記座標入力パネルセットの外周を分割した４つの辺の同じ辺に属する前記座標入力パネルの辺の抵抗値を互いに等しくし、前記座標入力パネルセットの外周を分割した４つの辺の互いに隣り合わない２つの辺を選択する２組の組み合わせのそれぞれについて、１辺に接続されている引き出し線にＡＣ信号を印加し、もう１辺に接続されている引き出し線をＧＮＤに接続することによって、前記座標入力パネルセットを構成する各座標入力パネル内を略均等に分割するような略直線の等電位線を形成して前記入力ペンの位置の電位を測定し、前記ＡＣ信号を印加する辺とＧＮＤに接続する辺を入れ替えて同じく電位を測定し、それらの電位測定値を用いて入力ペンの座標を算出することを特徴とする座標入力装置。
【請求項２】
前記入力ペンの座標を検出し、前記座標入力パネルセットのうち、前記入力ペンがどの座標入力パネルに近づきまたは当接しているかという情報と、その座標入力パネル内での座標情報を出力することを特徴とする、請求項1に記載の座標入力装置。
【請求項３】
請求項１乃至２に記載の座標入力装置において、前記複数の座標入力パネルのうち、１つ以上の座標入力パネルを、該座標入力パネルの抵抗性周囲電極の４辺それぞれと等しい抵抗値を持つ抵抗器を、前記抵抗性周囲電極と同じ接続関係になるように接続した抵抗回路と置き換えたことを特徴とする座標入力装置。
【発明の詳細な説明】
【技術分野】
【０００１】
本発明は、座標指示用入力ペンが当接または近づいた位置の座標を検出する静電容量結合型座標入力パネルに関する。
【背景技術】
【０００２】
図１及び図２は静電容量結合型座標入力パネルの例を示す断面図及び平面図である。静電容量結合型座標入力パネル１（以下座標入力パネルと称する）はセンサー部となる透明絶縁性基材３を中心に構成している。座標指示用入力ペン（以下入力ペンと称する）９を、入力面となる透明絶縁性基材３の上部に当接または近づけ、透明絶縁性基材３の下部のセンサー部となる面抵抗体５と入力ペン９間で静電容量結合を行い、座標検出を行う物である。透明絶縁性基材３は、透明なガラスや樹脂を使うのが一般的である。
センサー部となる面抵抗体５は全面に透明でシート抵抗値が均一な面抵抗体が形成されている。透明な面抵抗体５は例えばスパッタ法によるＩＴＯ（インジウム酸化物）やＣＶＤ法による酸化スズ膜等の透明導電性材料が用いられている。
【０００３】
透明な面抵抗体５の上には、抵抗性周囲電極６が形成されている。抵抗性周囲電極６は、例えば導電性インキを使用し、所望のパターンに印刷・焼成し、形成する。抵抗性周囲電極６の抵抗値は距離あたりで同一でも、辺あたりで同一でも構わないが、少なくとも抵抗性周囲電極６の各頂点間のうち、距離が同じ辺の頂点間の抵抗値は同一である。また、抵抗性周囲電極６は、各辺内で、距離当たりの抵抗値が一定でなければならず、更に、例えば長方形の座標入力パネルに関して、２つの短辺の距離当たりの抵抗値は等しく、２つの長辺の距離当たりの抵抗値は等しくなくてはならない。必要に応じて抵抗性周囲電極６の各頂点には、引き出し線７を接続するための、引き出し線接続用端子部６−Ａ、６−Ｂ、６−Ｃ、６−Ｄとして、ハンダ付け可能な導電性インキを印刷・焼成したり、各頂点部分を除き絶縁性インキで保護する場合もある。
【０００４】
抵抗性周囲電極６の各頂点の引き出し線接続用端子部６−Ａ、６−Ｂ、６−Ｃ、６−Ｄには、引き出し線７が接続され、引き出し線７は座標検出回路１０に接続し、面抵抗体５のうち抵抗性周囲電極６に囲まれた部分である座標入力領域８に電位勾配を各方向から順次形成する。ケーブル１１によって座標検出回路１０に接続されている入力ペン９を使用して、座標入力領域８で形成された電位勾配の入力ペン９の位置での電位を計測し、その電位を使用して座標を算出する（特許４１６８５３７号（特許文献１）参照）。
【０００５】
かかる座標入力パネル１は、液晶表示器に代表される表示装置画面上に搭載され、表示装置の表示画面に文字入力や項目選択等の用途に使用されるが、昨今表示装置の大型化が進み、それに伴い座標入力パネルにも大型化が要求されている。
一方、座標入力パネル１は多用途化しており、長方形でない、複雑な形状の座標入力パネルの実現は、応用領域を更に広げるものとして期待されている。複雑な形状の座標入力パネルについては、例えば、本願出願人が、特願２００８−２５１９０５号（特許文献２）に、多角形の各頂点を駆動点もしくは検出点にすることによって、座標を計算するものを出願している。
【０００６】
液晶等の表示装置でも大型化の要求に対し、莫大な設備投資を行っており、低価格で大型な表示装置を作成することが困難になっている。この問題に対応するため、表示装置では、小型の表示装置を複数並べる画面分割型、いわゆるマルチディスプレイの開発にも力を入れている。
【０００７】
座標入力パネルにおいても、同様に大型化を実現するためには、大型な座標入力パネルを作成するために、莫大な設備投資が必要になり、市場の低価格化要求に答えられないという問題を抱えている。
従って、座標入力パネルにおいても、小型の座標入力パネルを複数並べる分割型により、大型化への対応が容易に考えられる。
また、長方形でない、複雑な形状の座標入力パネルを実現するにあたっても、複雑な形状のパネルを直接形成する方法と別に、比較的単純な形状の座標入力パネルを複数並べることによって実現する方法が考えられる。
【０００８】
一方、表示装置の複数台化においては、その目的は画面の大型化だけではない。即ち、画面に絵や文字などを表示する表示装置が複数台接続され、それぞれに表示信号を発信する機能を持つパソコン等の表示画面に表示する為の絵や文字などのデータを生成する装置は、表示画面を複数と認識していてそれぞれの複数の表示装置毎に信号出力が可能なので、表示装置の大きさや解像度を揃える必要はない。また、表示装置の位置関係も自由に変更できる場合が多い。従って、図３のように表示エリアが全体で長方形ではなくいびつな形になる場合もある。この場合の座標入力装置は、いびつな形に対応する為に、個々の表示装置内の座標をそれぞれ検出して、座標出力することが求められる。
そこで、現在は座標入力パネル１と座標検出回路１０を表示装置それぞれに配して対応してきた。
【０００９】
【先行技術文献】
【特許文献】
【００１０】
【特許文献１】特許４１６８５３７号
【特許文献２】特願２００８−２５１９０５号
【発明の概要】
【発明が解決しようとする課題】
【００１１】
しかしながら、複数の座標入力パネルを並べた場合、複数の座標検出回路が座標入力パネル枚数分必要となり、座標入力パネルを小さくすることによる低価格化は可能なものの、座標検出回路が複数になるため、連続した１つの座標系にするための制御や、前記制御を行うための制御回路を作るためのコストがかかってしまう。また、一つの座標検出回路で順次座標入力パネルを切替えて座標検出を行うことも可能ではあるが、座標入力パネル分の検出時間がかかってしまい、単位時間当たりの座標検出回数が減ってしまう。表示装置を複数化し、表示装置の数だけ座標入力装置を配する場合も、同じ課題が想定される。
また、比較的単純な形状の座標入力パネルを複数並べることによって複雑な形状の座標入力パネルを実現するにあたっても、同じ課題が想定される。
【課題を解決するための手段】
【００１２】
本発明は、台形の片面を入力面とし、該入力面と相対する面にシート抵抗値が均一な透明電極膜及び各辺内の抵抗分布が均一であるような台形の抵抗性周囲電極を設けた複数の座標入力パネルを、該座標入力パネルの接続数が全ての行で列数が同一で、全ての列で行数が同一になるように組み合わせた座標入力パネルセットと、入力ペンとＡＣ信号を発生する制御基板から成り、前記入力ペンと前記透明電極膜との間に発生する容量結合を利用して座標検出を行う座標入力装置であって、隣り合う座標入力パネルの隣接する頂点同士を電気的に接続して電極接続部を形成し、四方を前記座標入力パネルに囲まれていない全ての電極接続部と、座標入力パネルの頂点のうち電極接続部ではない全ての頂点に引き出し線を設け、前記座標入力パネルセットの外周を、前記電極接続部ではない座標入力パネルの頂点を区切りとして４つの辺に分割し、前記複数の座標入力パネルは、台形である抵抗性周囲電極の少なくとも対向する辺の抵抗値を互いに等しく、且つ隣り合う座標入力パネルの隣接する辺の抵抗値及び前記座標入力パネルセットの外周を分割した４つの辺の同じ辺に属する前記座標入力パネルの辺の抵抗値を互いに等しくし、前記座標入力パネルセットの外周を分割した４つの辺の互いに隣り合わない２つの辺を選択する２組の組み合わせのそれぞれについて、１辺に接続されている引き出し線にＡＣ信号を印加し、もう１辺に接続されている引き出し線をＧＮＤに接続することによって、前記座標入力パネルセットを構成する各座標入力パネル内を略均等に分割するような略直線の等電位線を形成して前記入力ペンの位置の電位を測定し、前記ＡＣ信号を印加する辺とＧＮＤに接続する辺を入れ替えて同じく電位を測定し、それらの電位測定値を用いて入力ペンの座標を算出することを要旨とする座標入力装置である。
【発明の効果】
【００１３】
本発明による座標入力装置によれば、複数のセンサー部となる座標入力パネル１が電気的に一体化できるために、１つの座標検出回路で座標検出が出来る複数の座標入力パネルで構成された静電容量型座標入力パネルセットを、低価格で、しかも単位時間あたりの座標検出回数が多い座標検出装置を実現できるものである。表示装置を複数化し、それぞれに座標入力パネルを配した場合にも、それらをまとめて１つの座標検出回路で座標検出をするような座標検出装置を実現することができる。
また、大型の座標入力パネルを、シート抵抗値を均一に製造するのは困難であるが、本発明による座標入力装置は、大型の入力領域を分割することになるため、歩留まり向上にも寄与すると考えられる。
【００１４】
更に、台形（平行四辺形、長方形、及び正方形を含む）を縦横に並べることによって形成できる形状である限り、複雑な座標入力パネルを実現することができる上に、縦横に並んだ複数のパネルのうち一部のパネルが欠けているような、異形の形状を実現することができる。
【図面の簡単な説明】
【００１５】
【図１】静電容量結合型座標入力パネルの断面図
【図２】静電容量結合型座標入力パネルの平面図
【図３】いびつな形の表示エリア
【図４】第１の実施の形態の模式図
【図５】第２の実施の形態の模式図
【図６】第３の実施の形態の模式図
【図７】第４の実施の形態の模式図
【図８】第４の実施の形態のパネルと置き換えた抵抗を整理した模式図
【図９】台形の抵抗性周囲電極側面設置型座標入力パネルの斜視図
【図１０】台形の抵抗性周囲電極が和麺設置型座標入力パネルの断面図
【図１１】実施例１の説明図
【図１２】長方形の抵抗性周囲電極側面設置型座標入力パネルの斜視図
【図１３】長方形の抵抗性周囲電極側面設置型座標入力パネルの断面図
【図１４】実施例２の説明図
【図１５】実施例３の説明図
【図１６】実施例４の説明図
【図１７】実施例５の説明図
【発明を実施するための形態】
【００１６】
以下、添付図面に従って、本発明に係る座標補正方法の好ましい実施の形態について詳説する。
【００１７】
〈第１の実施の形態〉
図４は第１の実施の形態の模式図である。図２で示された座標入力パネル１を縦に２枚横に２枚並べて２行２列の座標入力パネルセット２９を形成する。ただし、それぞれの座標入力パネルは、後述するように、長方形ではなく台形である。説明の為に、それぞれを左上から順に時計回りに２１Ａ〜２１Ｄとする。
【００１８】
本実施の形態の説明のために座標入力パネルセット２９を例として模式図である図４に示したが、座標入力パネルセット２９を構成する台形の座標入力パネル２１Ａ〜２１Ｄは、台形である抵抗性周囲電極６の水平の全ての辺の抵抗値を互いに等しく、且つ略垂直の全ての辺の抵抗値を互いに等しくしたような座標入力パネルであり、並べた時に座標入力パネルセット２９を構成する座標入力パネル数が全ての行で列数が同一で、全ての列で行数が同一になるように並べれば、縦３枚／横３枚の３行３列や、横に３枚並べる１行３列等、座標入力パネルを何枚で構成しても構わない。また、台形は、四角形として、平行四辺形、長方形及び正方形を含むため、一部の座標入力パネルがそれらの形状であっても構わない。更に、各台形内で座標変換を行うため、上下辺が互いに平行であるような台形と、左右辺が互いに平行であるような台形が混在していても構わない。
【００１９】
並べた各座標入力パネル２１Ａ〜２１Ｄの１枚１枚を座標入力パネル１と見た時の抵抗性周囲電極６の各頂点６−Ａ、６−Ｂ、６−Ｃ、６−Ｄのうち、各座標入力パネル間の隣り合う頂点間を電気的に接続して、電極接続部２２を形成する。
【００２０】
座標入力パネル２１Ａ〜２１Ｄのそれぞれの４つの頂点のうち、電極接続部２２となっていない全ての頂点、つまり図４で言えば座標入力パネル２１Ａの左上の頂点、座標入力パネル２１Ｂの右上の頂点、座標入力パネル２１Ｃの右下の頂点、及び座標入力パネル２１Ｄの左下の頂点、の合計４つの頂点と、各座標入力パネル間の隣り合う頂点を接続した電極接続部２２のうち、外周部に面した、四方を座標入力パネルに囲まれていないものから、引き出し線２３ａ、２３ｂ、２３ｃ、２３ｄ、２３ｅ、２３ｆ、２３ｇ、２３ｈを引き出し、座標検出回路２０に接続する。引き出し線２３ａ〜２３ｈにはそれぞれスイッチ２７ａ〜２７ｈが接続されている。
【００２１】
座標入力パネルセット２９を構成する座標入力パネルに、上下辺が互いに平行であるような台形と、左右辺が互いに平行であるような台形が混在している場合、座標入力パネルセット２９は、外周が必ずしも単純な形状にならないことがある。これに対して、ここでは、座標入力パネルセット２９の外周を、全ての座標入力パネルの頂点のうち、電極接続部２２となっていない４つの頂点によって分割する。そして、それら４つの頂点によって分割された座標入力パネルセット２９の外周の４つの部分を、座標入力パネルセット２９の４つの辺と考える。
【００２２】
面抵抗体５（図１参照）のシート抵抗値は、座標入力パネルセット２９を構成する座標入力パネル２１Ａ〜２１Ｄ間で等しいのが望ましいが、ある程度は異なっていてもよい。    即ち、各座標入力パネルの抵抗性周囲電極６の各辺の抵抗値に対して、その座標入力パネルのシート抵抗値が１０倍以上であれば、各座標入力パネルのシート抵抗値は、例えば互いに数倍程度異なっていても問題はない。ただし、各座標入力パネルの抵抗性周囲電極６の各辺の抵抗値に対して、その座標入力パネルのシート抵抗値が１０倍未満である場合には、各座標入力パネルのシート抵抗値のばらつきは、たかだか２倍までに抑えることが必要である。これは、シート抵抗値が抵抗性周囲電極６の各辺の抵抗値に対して充分に大きくない場合は、シート抵抗値のばらつきが、座標パネルセットに与える電位勾配の均一性に影響を与える可能性が高くなるためである。さらに、図４では４枚の座標入力パネルはそれぞれ同じ大きさで描いているが、本実施の形態の座標入力パネルセット２９を構成する座標入力パネルの大きさや形はそれぞれ異なっても構わない。
【００２３】
台形である抵抗性周囲電極６の各辺の抵抗値については、それぞれ対向する２辺の両端間の抵抗値を互いに等しくすると共に、隣り合う座標入力パネルの隣接する辺の抵抗値、及び座標入力パネルセット２９の外周を分割した４つの辺の同じ辺に属する座標入力パネルの辺の抵抗値を互いに等しくする。つまり、図４で言えば、水平の全ての辺の抵抗値を互いに等しく、且つ略垂直の全ての辺の抵抗値を互いに等しくする。
【００２４】
座標検出は次のように行う。
まず、座標入力パネルセット２９全体に電位勾配を与える。電位勾配は座標検出回路２０に設けられているスイッチ２７ａ〜２７ｈを切替えて与えるのであるが、座標入力パネルセット２９の向かい合う辺どうしで片一方にＡＣ信号を、もう一方をグランドに接続し、他の２辺は何も接続しない状態にする。ここで、座標入力パネルセット２９の向かい合う辺どうしで片一方にＡＣ信号を、もう一方にグランドを接続する、というとき、その向かい合う辺とは、前述したように、座標入力パネルセット２９の外周を、全ての座標入力パネルの頂点のうち、電極接続部２２となっていない４つの頂点によって分割した４つの辺から、互いに隣り合っていないことを条件に選択した２つの辺のことを指す。座標入力パネルセット２９の外周は４つの辺に分割されるので、向かい合う辺は２組存在する。
図４はスイッチ２７ａ、２７ｂ、２７ｃにＡＣ信号を接続し、２７ｅ、２７ｆ、２７ｇをグランドに接続し、２７ｄと２７ｈには何も接続しない状態を表している。
【００２５】
これをまず２７ａ〜２７ｃにＡＣ信号を流し、２７ｅ〜２７ｇをグランドに接続する。次に、２７ｃ〜２７ｅにＡＣ信号を、２７ｇと２７ｈ及び２７ａにグランドに接続する。そして、２７ｅ〜２７ｇにＡＣ信号を、２７ａ〜２７ｃにグランドに接続する。最後に、２７ｇと２７ｈ及び２７ａにＡＣ信号を、２７ｃ〜２７ｅにグランドをそれぞれ順次行っていく。
【００２６】
台形である抵抗性周囲電極６の水平の全ての辺の抵抗値を互いに等しく、且つ略垂直の全ての辺の抵抗値を互いに等しくしているため、各座標入力パネルの座標入力領域８内において、例えば２７ａ〜２７ｃにＡＣ信号を流した時には、各座標入力パネルの略垂直の左辺と略垂直の右辺との間を略均等に分割するような略直線の等電位線からなる電位勾配が形成され、一方、２７ｃ〜２７ｅにＡＣ信号を流した時には、各座標入力パネルの水平の上辺と水平の下辺との間を均等に分割するような直線の等電位線からなる電位勾配が形成される。
【００２７】
台形の互いに平行でない辺同士の間に電位勾配を形成する際、例えば２７ａ〜２７ｃにＡＣ信号を流した時には、各座標入力パネルの略垂直の左辺と略垂直の右辺との間を略均等に分割する等電位線は、厳密には直線にならない。直線からのずれの大きさは、台形の互いに平行である辺の長さの比率が１：１から遠ざかるほど大きくなる。例えば、２つの台形によって正６角形の座標入力パネルセットを形成しようとすると、台形の互いに平行である辺の長さの比率は１：２となるが、この程度であれば、最終的に算出する座標のずれは１％程度であり、座標を計算する上で大きな問題とならない。台形の互いに平行である辺の長さの比率は、座標のずれが２％程度以下であるような、１：１から１：５の範囲であることが好ましい。
【００２８】
電位勾配を形成する毎に、座標入力パネルセット２９を形成する座標入力パネルのいずれかと静電容量結合を行った入力ペン９から接続されたアナログ信号処理部２４を介し、Ａ／Ｄコンバータ２５で入力ペン９の位置の電位を計測する。
【００２９】
ここで２７ａ〜２７ｃにＡＣ信号を接続し、２７ｅ〜２７ｇにグランドを接続した時に計測された電位をＡとし、同様に２７ｃ〜２７ｅにＡＣ信号を接続し、２７ｇと２７ｈ及び２７ａにグランドを接続した時に計測された電位をＢ、２７ｅ〜２７ｇにＡＣ信号を、２７ａ〜２７ｃにグランド時の計測された電位をＣ、２７ｇと２７ｈ及び２７ａにＡＣ信号を、２７ｃ〜２７ｅにグランドを接続した時の計測された電位をＤとすると、入力ペン９が座標入力パネルセットに当接または近づいた位置の座標（Ｘ，Ｙ）は、座標入力パネルセット２９全体を、左上の座標パネル２１Ａの座標入力領域８の一番左上を原点とし、大きさ１の正方形と見做す座標系において、次の数式１のように表すことができる。
【００３０】
【数１】
2011008757.tif 000003
【００３１】
実際には、各座標入力パネルは台形であるので、台形内の座標を求めるには、座標（Ｘ，Ｙ）を変換する必要がある。台形である抵抗性周囲電極６の水平の全ての辺の抵抗値を互いに等しく、且つ略垂直の全ての辺の抵抗値を互いに等しくしているため、座標は、Ｘ座標であれば座標入力パネルの列数分、Ｙ座標であれば座標入力パネルの行数分、均等に分割される。従って、２行２列の場合であれば、座標入力パネルセット２９のうち、左上の座標入力パネル２１Ａにおいては、座標はＸ＝［０，０．５］，Ｙ＝［０，０．５］の範囲に、右上の座標入力パネル２１Ｂにおいては、座標はＸ＝［０．５，１］，Ｙ＝［０，０．５］の範囲に、右下の座標入力パネル２１Ｃにおいては、座標はＸ＝［０．５，１］，Ｙ＝［０．５，１］の範囲に、また、左下の座標入力パネル２１Ｄにおいては、座標はＸ＝［０，０．５］，Ｙ＝［０．５，１］の範囲になる。
【００３２】
このとき、例えば座標（Ｘ，Ｙ）がＸ＝［０，０．５］，Ｙ＝［０，０．５］、つまり左上の座標入力パネル２１Ａ内部に存在した場合、実際の座標系（ｘ，ｙ）における四隅の電極接続部２２の座標を、左上から時計回りに（ｘ１，ｙ１）、（ｘ２，ｙ２）、（ｘ３，ｙ３）、及び（ｘ４，ｙ４）とすると、実際の座標（ｘ，ｙ）は、次の数式２によって計算することができる。
【００３３】
【数２】
2011008757.tif 000004
【００３４】
例えば座標（Ｘ，Ｙ）がＸ＝［０．５，１］，Ｙ＝［０．５，１］、つまり右下の座標入力パネル２１Ｃ内部に存在した場合、数式２において、電極接続部２２の座標を座標入力パネル２１Ｃのものとし、Ｘ→（Ｘ−０．５），Ｙ→（Ｙ−０．５）とすることによって、同様に実際の座標（ｘ，ｙ）を計算することができる。
数式２中、（２Ｘ）及び（２Ｙ）は、座標入力パネルセット２９が、２行２列の座標入力パネルによって構成されていることに由来する。従って、例えば、座標入力パネルセット２９の構成を、２行２列ではなく、２行１列にしたとすると、上側の座標入力パネルにおいては、座標はＸ＝［０，１］，Ｙ＝［０，０．５］の範囲に、下側の座標入力パネルにおいては、座標はＸ＝［０，１］，Ｙ＝［０．５，１］の範囲になる。そして、座標を計算するための数式２を、２Ｘ→Ｘと変更すればよい。
【００３５】
算出された座標は、各々の座標入力パネルの座標入力領域８で連続した座標となる。従って、複数の座標入力パネルを並べて、１枚の座標入力パネルとして使用する場合は、図４の模式図に示すように抵抗性周囲電極６上や座標入力範囲外領域１２が大きいと、その部分では不感帯となるので実際に製作する場合はそれらの範囲を小さくすべきである。
【００３６】
〈第２の実施の形態〉
以下、第２の実施の形態の詳細を添付した図２及び図５を参照して説明する。第２の実施の形態は、同じ大きさの長方形の座標入力パネルを並べたものである。座標入力パネルが長方形である場合、座標変換を行う必要がなく、計算が特に簡単になる。本実施の形態では、その場合を説明する。
図５は本実施の形態の模式図である。図２で示された座標入力パネル１を縦に２枚横に２枚並べて２行２列の座標入力パネルセット２９を形成する。説明の為に、それぞれを時計回りに１２１Ａ〜１２１Ｄとする。以降、前記の実施の形態におけるのと本質的に同じものについては、同じ符号を付することとする。
【００３７】
本実施の形態の説明のために座標入力パネルセット２９を簡易的に座標入力パネル４枚を模式図に図示したが、座標入力パネルセット２９を構成する長方形の座標入力パネル１間において、抵抗性周囲電極６の長方形の短辺同士及び長辺同士の辺の抵抗値が同一である座標入力パネルであれば、並べた時に座標入力パネルセットを構成する座標入力パネル数が全ての行で列数が同一で、全ての列で行数が同一になるように並べれば縦３枚／横３枚の３行３列や、横に３枚並べる１行３列等、座標入力パネルを何枚で構成しても構わない。座標入力パネル１が全て同じ大きさであれば、結果的に座標入力パネルセットは正方形を含む長方形になる。また、座標入力パネル１を長方形としたが、当然正方形も含まれる。その場合の抵抗性周囲電極６の抵抗値は、正方形の横辺を長辺、縦辺を短辺と見なせば座標入力パネル１が長方形の場合と同じことが言える。
【００３８】
座標入力パネルセット２９を構成する長方形の座標入力パネル１間において、面抵抗体５のシート抵抗値は、互いに等しいことが望ましいが、第１の実施の形態において説明したように、ある程度は異なっていても構わない。
【００３９】
本発明は、１枚でも座標入力パネルとして機能するパネルを複数枚並べた座標入力パネルセットがまるで座標入力パネル１枚として連続した１つの座標系で使用できることが特徴である。
並べた各座標入力パネル１２１Ａ〜１２１Ｄの１枚１枚を座標入力パネル１と見た時の抵抗性周囲電極６の各頂点６−Ａ、６−Ｂ、６−Ｃ、６−Ｄのうち、各座標入力パネル間の隣り合う頂点間を電気的に接続して、電極接続部２２を形成する。
【００４０】
座標入力パネルセット２９の４頂点と電極接続部２２のうち外周部に面したものから引き出し線２３ａ、２３ｂ、２３ｃ、２３ｄ、２３ｅ、２３ｆ、２３ｇ、２３ｈを引き出し、座標検出回路２０に接続する。引き出し線２３ａ〜２３ｈにはそれぞれスイッチ２７ａ〜２７ｈが接続されている。
座標検出は次のように行う。
【００４１】
まず、座標入力パネルセット２９全体に電位勾配を与える。電位勾配は座標検出回路２０に設けられているスイッチ２７ａ〜２７ｈを切替えて与えるのであるが、座標入力パネルセット２９の向かい合う辺どうしで片一方にＡＣ信号を、もう一方をグランドに接続し、他の２辺は何も接続しない状態にする。図５は２７ａ、２７ｂ、２７ｃにＡＣ信号を接続し、２７ｅ、２７ｆ、２７ｇをグランドに接続し、２７ｄと２７ｈには何も接続しない状態を表している。これを行うと、並べられた各座標入力パネル１の座標入力領域８にはＡＣ信号をかけた辺と水平な等電位線を持った電位勾配が形成される。
【００４２】
これをまず２７ａ〜２７ｃにＡＣ信号を流し、２７ｅ〜２７ｇをグランドに接続する。次に、２７ｃ〜２７ｅにＡＣ信号を、２７ｇと２７ｈ及び２７ａにグランドに接続する。そして、２７ｅ〜２７ｇにＡＣ信号を、２７ａ〜２７ｃにグランドに接続する。最後に、２７ｇと２７ｈ及び２７ａにＡＣ信号を、２７ｃ〜２７ｅにグランドをそれぞれ順次行っていく。電位勾配を形成する毎に、座標入力パネルセット２９を形成する座標パネルのいずれかと静電容量結合を行った入力ペン９から接続されたアナログ信号処理部２４を介し、Ａ／Ｄコンバータ２５で入力ペン９の位置の電位を計測する。
【００４３】
ここで２７ａ〜２７ｃにＡＣ信号を接続し、２７ｅ〜２７ｇにグランドを接続した時に計測された電位をＡとし、同様に２７ｃ〜２７ｅにＡＣ信号を接続し、２７ｇと２７ｈ及び２７ａにグランドを接続した時に計測された電位をＢ、２７ｅ〜２７ｇにＡＣ信号を、２７ａ〜２７ｃにグランド時の計測された電位をＣ、２７ｇと２７ｈ及び２７ａにＡＣ信号を、２７ｃ〜２７ｅにグランドを接続した時の計測された電位をＤとすると、入力ペン９が座標入力パネルセットに当接または近づいた位置の座標（Ｘ，Ｙ）は次のように表すことができる。
Ｘ  ＝  Ｃ／（Ａ＋Ｃ）  ・・・[式３]
Ｙ  ＝  Ｄ／（Ｂ＋Ｄ）  ・・・[式４]
これで、座標パネルセット全体のうち、左上の座標パネルの座標入力領域８の一番左上が原点の０〜１の値を持つ正規化された座標が計算できる。このＸ及びＹに必要な係数を掛け算することにより、連続した１つの座標系が完成する。
【００４４】
算出された座標は、各々の座標パネルの座標入力領域８で連続した座標となる。従って、複数の座標入力パネルを並べて、１枚の座標入力パネルとして使用する場合は、図５の絵のように抵抗性周囲電極６上や座標入力範囲外領域１２が大きいと、その部分では不感帯となるので実際に製作する場合はそれらの範囲を小さくすべきである。
【００４５】
〈第３の実施の形態〉
図６は第３の実施の形態の模式図である。本実施の形態は、入力ペンがどの座標入力パネルに近づきまたは当接しているかという情報と、その座標入力パネル内での座標情報を出力するものである。図２で示された座標入力パネル１を縦に２枚横に２枚並べて２行２列の座標入力パネルセット２９を形成する。説明の為に、それぞれを時計回りに２２１Ａ〜２２１Ｄとする。
【００４６】
本実施の形態の説明のために座標入力パネルセット２９を簡易的に座標入力パネル４枚を模式図に図示したが、座標入力パネルセット２９を構成する長方形の座標入力パネル１間において、抵抗性周囲電極６の長方形の短辺同士及び長辺同士の辺の抵抗値が同一である座標入力パネルであれば、並べた時に座標入力パネルセットを構成する座標入力パネル数が全ての行で列数が同一で、全ての列で行数が同一になるように並べれば縦３枚／横３枚の３行３列や、横に３枚並べる１行３列等、座標入力パネルを何枚で構成しても構わない。面抵抗体５（図１参照）のシート抵抗値は、座標入力パネルセット２９を構成する座標入力パネル１間で等しいのが望ましいが、第１の実施の形態において説明したように、ある程度は異なっていてもよい。座標入力パネル１が全て同じ大きさであれば、結果的に座標入力パネルセットは正方形を含む長方形になる。
【００４７】
また、座標入力パネル１は、図６では長方形で示したが、台形であっても構わない。その場合、台形である抵抗性周囲電極６の抵抗値は、第１の実施の形態において説明した条件を満たす必要がある。台形は、四角形として、平行四辺形、長方形及び正方形を含むため、一部の座標入力パネルがそれらの形状であっても構わない。座標入力パネル１が、長方形もしくは正方形ではない台形（平行四辺形を含む）である場合は、各台形内で、第１の実施の形態において説明したような座標変換を行えばよい。さらに、図６では４枚の座標入力パネルはそれぞれ同じ大きさで描いているが、本実施の形態の座標入力パネルセット２９を構成する座標入力パネルの大きさや形はそれぞれ異なっても構わない。この場合も正方形と同様に、座標入力パネルの横辺を長辺、縦辺を短辺と見なせば座標入力パネル１が長方形の場合と同じことが言える。
【００４８】
並べた各座標入力パネル２２１Ａ〜２２１Ｄの１枚１枚を座標入力パネル１と見た時の抵抗性周囲電極６の各頂点６−Ａ、６−Ｂ、６−Ｃ、６−Ｄのうち、各座標入力パネル間の隣り合う頂点間を電気的に接続して、電極接続部２２を形成する。
【００４９】
座標入力パネルセットの４頂点と電極接続部２２のうち外周部に面したものから引き出し線２３ａ、２３ｂ、２３ｃ、２３ｄ、２３ｅ、２３ｆ、２３ｇ、２３ｈを引き出し、座標検出回路２０に接続する。引き出し線２３ａ〜２３ｈにはそれぞれスイッチ２７ａ〜２７ｈが接続されている。
座標検出は次のように行う。
【００５０】
まず、座標パネルセット全体に電位勾配を与える。電位勾配は座標検出回路２０に設けられているスイッチ２７ａ〜２７ｈを切替えて与えるのであるが、座標パネルセットの向かい合う辺どうしで片一方にＡＣ信号を、もう一方をグランドに接続し、他の２辺は何も接続しない状態にする。ここで、座標入力パネルセット２９を構成する座標入力パネルに、台形や平行四辺形が混在し、座標入力パネルセット２９の外周が単純な形状ではない場合、座標入力パネルセット２９の向かい合う辺どうしで片一方にＡＣ信号を、もう一方にグランドを接続する、というとき、その向かい合う辺とは、第１の実施の形態で説明したように、座標入力パネルセット２９の外周を、全ての座標入力パネルの頂点のうち、電極接続部２２となっていない４つの頂点によって分割した４つの辺から、互いに隣り合っていないことを条件に選択した２つの辺のことを指す。
図６は２７ａ、２７ｂ、２７ｃにＡＣ信号を接続し、２７ｅ、２７ｆ、２７ｇをグランドに接続し、２７ｄと２７ｈには何も接続しない状態を表している。これを行うと、並べられた各座標入力パネル１の座標入力領域８にはＡＣ信号をかけた辺と水平な等電位線を持った電位勾配が形成される。
【００５１】
これをまず２７ａ〜２７ｃにＡＣ信号を流し、２７ｅ〜２７ｇをグランドに接続する。次に、２７ｃ〜２７ｅにＡＣ信号を、２７ｇと２７ｈ及び２７ａにグランドに接続する。そして、２７ｅ〜２７ｇにＡＣ信号を、２７ａ〜２７ｃにグランドに接続する。最後に、２７ｇと２７ｈ及び２７ａにＡＣ信号を、２７ｃ〜２７ｅにグランドをそれぞれ順次行っていく。電位勾配を形成する毎に、座標入力パネルセット２９を形成する座標入力パネルのいずれかと静電容量結合を行った入力ペン９から接続されたアナログ信号処理部２４を介し、Ａ／Ｄコンバータ２５で入力ペン９の位置の電位を計測する。
【００５２】
ここで２７ａ〜２７ｃにＡＣ信号を接続し、２７ｅ〜２７ｇにグランドを接続した時に計測された電位をＡとし、同様に２７ｃ〜２７ｅにＡＣ信号を接続し、２７ｇと２７ｈ及び２７ａにグランドを接続した時に計測された電位をＢ、２７ｅ〜２７ｇにＡＣ信号を、２７ａ〜２７ｃにグランド時の計測された電位をＣ、２７ｇと２７ｈ及び２７ａにＡＣ信号を、２７ｃ〜２７ｅにグランドを接続した時の計測された電位をＤとすると、入力ペン９が座標入力パネルセットに当接または近づいた位置の座標（Ｘ，Ｙ）は次のように表すことができる。
Ｘ  ＝  Ｃ／（Ａ＋Ｃ）  ・・・[式５]
Ｙ  ＝  Ｄ／（Ｂ＋Ｄ）  ・・・[式６]
これで、座標パネルセット全体のうち、左上の座標パネルの座標入力領域８の一番左上が原点の０〜１の値を持つ正規化された座標が計算できる。このＸ及びＹに必要な係数を掛け算することにより、連続した１つの座標系が完成する。座標入力パネルセットを構成する複数の座標入力パネル１の大きさなどの仕様が全て同一であれば、この座標（Ｘ，Ｙ）がそのまま表示エリア全体の座標として使用できる。
【００５３】
本実施の形態では、図３のように座標入力パネルセットを構成する座標入力パネルの大きさが、それぞれ異なり、また座標入力パネルそれぞれで必要とされる座標分解能が違う場合、つまり表示装置画面が複数あり、それぞれの大きさや座標分解能が異なり、それぞれに座標入力パネルが備わっている場合であるが、この場合は、式５及び式６で示される座標はそのままでは使えない。式５及び式６で示される連続した一つの座標系から個々の座標入力パネル内の座標をまず求める必要がある。この場合の計算方法は次の通りである。
【００５４】
まず、座標入力パネルセットを形成するどの座標入力パネルに入力ペン９があるかを求める。求める方法は、ｍｍａｘ行ｎｍａｘ列の座標入力パネルセットで、（ｍ，ｎ）の位置にある座標入力パネルに入力ペン９があるとすれば、式５及び式６で求まった座標Ｘ及びＹにおいて
（ｍ−１）／ｍｍａｘ  ≦  Ｘ  ≦  ｍ／ｍｍａｘ・・・[式７]
及び
（ｎ−１）／ｎｍａｘ  ≦  Ｙ  ≦  ｎ／ｎｍａｘ・・・[式８]
が成り立つ。これを確認することにより、入力ペン９がどの座標入力パネルにあるか（ｍ，ｎ）という形で特定できる。図６の例では２２１Ａは（０，０）であり、同様に２２１Ｂは（１，０）、２２１Ｃは（１，１）、２２１Ｄは（０，１）である。
【００５５】
もし、（ｍ，ｎ）の座標入力パネルに入力ペン９があった場合は、
Ｘ（ｍ，ｎ）＝  Ｘ  ×  ｍｍａｘ  −（  ｍ−１  ）  ・・・[式９]
Ｙ（ｍ，ｎ）＝  Ｙ  ×  ｎｍａｘ  −（  ｎ−１  ）  ・・・[式１０]
にて、入力ペン９が当接または近いている座標入力パネル（ｍ，ｎ）の左上を原点とする０〜１の値をもつ正規化された座標を求めることができる。これに各表示装置に合わせた必要な係数を掛け算することにより、表示装置がどのような解像度や大きさを持っていても、入力ペン９が当接または近づいている座標入力パネル（ｍ，ｎ）の左上が原点の座標入力パネル（ｍ，ｎ）内の座標が求まる。座標入力パネル（ｍ，ｎ）が、長方形もしくは正方形ではない台形（平行四辺形を含む）である場合は、その台形内で、第１の実施の形態において説明したような座標変換を実施する。
【００５６】
図３のようないびつな形の表示エリア全体での座標に対応する場合は、座標入力パネル（ｍ，ｎ）の左上が表示エリア全体での座標系での座標が座標（Ｘｏｒｉ（ｍ，ｎ）、Ｙｏｒｉ（ｍ，ｎ））とすると、求める表示エリア全体での座標系の座標（Ｘｗｈｏｌｅ，Ｙｗｈｏｌｅ）は、
Ｘｗｈｏｌｅ＝Ｘ（ｍ，ｎ）＋Ｘｏｒｉ（ｍ，ｎ）・・・［式１１］
Ｙｗｈｏｌｅ＝Ｙ（ｍ，ｎ）＋Ｙｏｒｉ（ｍ，ｎ）・・・［式１２］
にて求められる。
【００５７】
〈第４の実施の形態〉
図７は本実施の形態の模式図であり、座標入力パネルセットから、一部の座標入力パネルを省いたものである。ただし、座標入力パネルを省いた部分には、その代用として抵抗器を接続する。
【００５８】
ここでは、パネル構成を、第３の実施の形態から一部の座標入力パネルを省いた構成とし、以下では、第３の実施の形態と異なる部分を中心に説明する。
図７に示す座標入力パネルセット２９は、縦２行、横２列の構成から、（１，１）に位置する座標入力パネル２２１Ｃを省いたものである。座標入力パネル２２１Ｃを省いた（１，１）の位置には、座標入力パネルの抵抗性周囲電極６の４辺それぞれと等しい抵抗値を持つ抵抗器である抵抗３１ａ〜３１ｄを、抵抗性周囲電極６と同じ接続関係になるように接続する。抵抗３１ａは抵抗性周囲電極６の左辺に、抵抗３１ｂは上辺に、抵抗３１ｃは右辺に、抵抗３１ｄは下辺に、それぞれ対応する。
座標入力パネル２２１Ｃを省いた部分は、座標入力領域として使用することはできない。座標入力パネル２２１Ｃを抵抗３１ａ〜３１ｄと置き換えることは、座標入力パネルを、透明電極膜を除去した、入力領域としては使用できない仮想的な座標入力パネルと置き換えることだ、と考えることもできる。
【００５９】
これらの抵抗３１ａ〜３１ｄは、電気回路として、抵抗性周囲電極６と同じ接続関係になっていればよく、形状的には長方形もしくは台形など、座標入力パネルと同じ形状を有する必要はない。抵抗３１ａ〜３１ｄが、抵抗性周囲電極６と同じ接続関係になっていれば、そこに透明電極膜を備えた座標入力パネルがなくとも、座標入力パネル２９全体に電位勾配を形成することができるからである。
従って、抵抗３１ａ〜３１ｄに置き換えた座標入力パネル２２１Ｃの部分は物理的に開放されるので、例えば図８に示すように、抵抗３１ａ〜３１ｄを整理すれば、右下が欠けたＬ字型のパネルセットを実現できることになる。省く座標入力パネルの数は、２つ以上でもよく、その場合は、省く各座標入力パネルを、同様に、抵抗性周囲電極の各辺と等しい抵抗値を持つ抵抗器で置き換えればよい。
【００６０】
座標入力パネル２２１Ｃを省いた部分では、シート抵抗が事実上無限大になったと見做すことができるので、残る座標入力パネル２２１Ａ、２２１Ｂ及び２２１Ｄについては、電位勾配の均一性に与える影響を鑑みて、各座標入力パネルの抵抗性周囲電極６の各辺の抵抗値に対して、その座標入力パネルのシート抵抗値が少なくとも１０倍以上であるようにすることが望ましい。
各座標入力パネル間の隣り合う頂点を接続する電極接続部２２を形成するに当たっては、座標入力パネルが抵抗回路に置き換えられていないと想定した場合に、第１の実施の形態において説明したような手順で電極接続部を形成するのと同じ位置で、電極接続部２２を形成する。即ち、例えば図７においては、電極接続部２２は、抵抗３１ａと抵抗３１ｂの接続部、抵抗３１ｂと抵抗３１ｃの接続部、及び、抵抗３１ａと抵抗３１ｄの接続部に、それぞれ形成される。
また、座標入力パネルセット２９に引き出し線２３ａ〜２３ｈを接続するに当たっては、同様に、座標入力パネルが抵抗回路に置き換えられていないと想定した場合に、第１の実施の形態において説明したような手順で引き出し線が接続されるのと同じ位置に、引き出し線を接続する。即ち、例えば図７においては、抵抗３１ｂと抵抗３１ｃの接続部である電極接続部２２に引き出し線２３ｆを、抵抗３１ｃと抵抗３１ｄの接続部に引き出し線２３ｇを、また抵抗３１ａと抵抗３１ｄの接続部である電極接続部２２に引き出し線２３ｈを、それぞれ接続する。
【００６１】
座標検出及び座標計算の方法は、第３の実施の形態と同じであるが、省かれた座標入力パネル２２１Ｃでは、座標は検出されない。検出のばらつきを考慮に入れる場合には、数式７及び数式８を用いて、計算された座標の位置が、省かれた座標入力パネル内であったら、当該データをエラーと判断するような処理を追加するのが好ましい。
【実施例】
【００６２】
以下、実施例により、本発明を説明する。本発明は、以下の実施例に限定されるものでなく、本発明の技術範囲において、種々の変形例を含むものである。
【００６３】
（実施例１）
本実施例１は、第１の実施の形態に対応するものであり、一つの大型の表示装置画面上で複数の台形の座標入力パネル１で形成する座標入力パネルセット２９（図１１参照）を１枚の座標入力パネルとして連続した１つの座標系の信号を出力して使用する場合を説明する。
【００６４】
台形のパネルを４個使用し、座標入力パネルセットとして６角形を実現する。形状の合致する６角形の表示装置が存在すれば最適であるが、座標入力パネルセットの下に設置する表示装置が長方形であったとしても、表示装置がカバーしない領域を、例えば印刷などによる固定表示の入力領域として使用することができる。
【００６５】
座標入力パネルセット２９を１枚の座標入力パネルとして使用する場合は、第１の実施の形態の最後で述べているように、抵抗性周囲電極６や座標入力範囲外領域１２があると入力ペン９による座標検出の不感帯が発生してしまう。これを避ける最も良い方法は抵抗性周囲電極６を透明絶縁性基材の側面に設置することである。抵抗性周囲電極６を透明絶縁性基材の側面に設置することで、ほぼ入力ペン９による座標検出の不感帯はほぼ無くすことができる。
【００６６】
図９及び図１０は、図２で示した座標入力パネル１の抵抗性周囲電極６を透明絶縁性基材の側面に配置した座標入力パネル１に対応する抵抗性周囲電極側面配置型座標入力パネル４１（以下、単に座標入力パネル４１と呼称）の斜視図及び頂点付近の断面図である。図９には、表面から見て上下の辺が平行であり、上辺が下辺よりも短く、右辺が垂直であるような台形のパネルの例を示した。図１に示した透明絶縁性基材３に対応する透明絶縁性基材４３に、図１に示した透明な面抵抗体５に対応する透明な面抵抗体４５を透明絶縁性基材４３の裏面だけでなく側面まで形成する。
【００６７】
次に図１に示した抵抗性周囲電極６に対応する抵抗性周囲電極４６を透明絶縁性基材４３の側面の透明な面抵抗体４５上に形成する。抵抗性周囲電極４６は絶縁性インキなどで各頂点付近を除き絶縁処理をする（図示せず）。各頂点には、図２に示した引き出し線接続用端子部６−Ａ、６−Ｂ、６−Ｃ、６−Ｄに対応する４７−Ａ、４７−Ｂ、４７−Ｃ、４７−Ｄを銀ペーストなどで形成する（図９参照）。図９ではわかりやすく４７−Ａ〜４７−Ｄを大きめに示しているが、実際には引き出し線や後述する座標入力パネル間の接続が可能な限り、小さくするのが望ましい。
【００６８】
図１１は、いずれも上下の辺が平行であって上辺が下辺より短いことは共通しているが、右辺が垂直であるような座標入力パネル４１Ａ、及びそれと同じものを１８０度回転させて設置する座標入力パネル４１Ｃ、また左辺が垂直であるような座標入力パネル４１Ｂ、及びそれと同じものを１８０度回転させて設置する座標入力パネル４１Ｄを、縦に２枚、横に２枚並べた２行２列の座標入力パネルセットを示している。座標入力パネルが抵抗性周囲電極を透明絶縁性基材側面に形成した座標入力パネル４１になっている以外は、第１の実施の形態での説明で使用した図４とほぼ同一になっている。
【００６９】
複数枚並べた座標入力パネル４１Ａ〜４１Ｄの隣り合っている頂点間を、座標入力パネル４１の側面に形成された引き出し線接続用端子部（４７−Ａ〜４７−Ｄ）（図９参照）同士を電気的に接続することにより、電極接続部２２を形成する。本実施例の電極接続部２２は、座標入力パネル４１の側面に引き出し線接続用端子部（４７−Ａ〜４７−Ｄ）があるので、隣り合う座標入力パネル４１の側面が物理的に接触しているのであれば、単純にハンダで引き出し線接続用端子部同士を接続すると接続部の厚さが薄くなり、見栄えが良い。ハンダで接続するのが無理であれば、ケーブルなどで接続する。何れにしても、接続部があまり目立たないようにする。
【００７０】
実際の座標検出の動作は、第１の実施の形態で説明した通りである。
図１１では、抵抗性周囲電極４６や、図９及び図１０に示した引き出し線接続用端子部４７−Ａ〜４７−Ｄに相当する各座標入力パネル４１Ａ〜４１Ｄの四隅などの厚みを厚く表示しているが、実際にはそれぞれ１０μｍ以下で形成できるのでほぼ入力ペン９による座標入力の不感帯は無いに等しい。従って、複数の座標入力パネルを並べても１枚の座標入力パネルとして使用できる。
【００７１】
（実施例２）
本実施例２では、第２の実施の形態に対応するものであり、一つの大型の表示装置画面上で複数の座標入力パネル１で形成する座標入力パネルセット２９を１枚の座標入力パネルとして連続した１つの座標系の信号を出力して使用する場合を説明する。
【００７２】
本発明で、座標入力パネルセット２９を１枚の座標入力パネルとして使用する場合は、第２の実施の形態の最後で述べているように、抵抗性周囲電極６や座標入力範囲外領域１２があると入力ペン９による座標検出の不感帯が発生してしまう。これを避ける最も良い方法は抵抗性周囲電極６を透明絶縁性基材の側面に設置することである。抵抗性周囲電極６を透明絶縁性基材の側面に設置することで、ほぼ入力ペン９による座標検出の不感帯はほぼ無くすことができる。
【００７３】
図１２及び図１３は、図２で示した座標入力パネル１の抵抗性周囲電極６を透明絶縁性基材の側面に配置した座標入力パネル１に対応する抵抗性周囲電極側面配置型座標入力パネル１４１（以下、単に座標入力パネル１４１と呼称）の斜視図及び頂点付近の断面図である。図１に示した透明絶縁性基材３に対応する透明絶縁性基材４３に、図１に示した透明な面抵抗体５に対応する透明な面抵抗体４５を透明絶縁性基材４３の裏面だけでなく側面まで形成する。
【００７４】
次に図１に示した抵抗性周囲電極６に対応する抵抗性周囲電極４６を透明絶縁性基材４３の側面の透明な面抵抗体４５上に形成する。抵抗性周囲電極４６は絶縁性インキなどで各頂点付近を除き絶縁処理をする（図示せず）。各頂点には、図２に示した引き出し線接続用端子部６−Ａ、６−Ｂ、６−Ｃ、６−Ｄに対応する４６−Ａ、４６−Ｂ、４６−Ｃ、４６−Ｄを銀ペーストなどで形成する（図１２参照）。図１２ではわかりやすく４６−Ａ〜４６−Ｄを大きめに示しているが、実際には引き出し線や後述する座標入力パネル間の接続が可能な限り、小さくするのが望ましい。
【００７５】
図１４は、大きさが同じである複数枚の座標入力パネル１４１を座標入力パネル１４１Ａ、１４１Ｂ、１４１Ｃ、１４１Ｄとして縦に２枚、横に２枚並べた２行２列の座標入力パネルセットを示している。座標入力パネルが抵抗性周囲電極を透明絶縁性基材側面に形成した座標入力パネル１４１になっている以外は、第２の実施の形態での説明で使用した図５とほぼ同一になっている。
【００７６】
複数枚並べた座標入力パネル１４１の隣り合っている頂点間を、座標入力パネル１４１の側面に形成された引き出し線接続用端子部（４６−Ａ〜４６−Ｄ）どうしを電気的に接続することにより、電極接続部２２を形成する。本実施例の電極接続部２２は、座標入力パネル１４１の側面に引き出し線接続用端子部（４６−Ａ〜４６−Ｄ）があるので、隣り合う座標入力パネル１４１の側面が物理的に接触しているのであれば、単純にハンダで引き出し線接続用端子部どうしを接続すると接続部の厚さが薄くなり、見栄えが良い。ハンダで接続するのが無理であれば、ケーブルなどで接続する。何れにしても、接続部があまり目立たないようにする。
【００７７】
実際の座標検出の動作は、第２の実施の形態で説明した通りである。
図１４では、抵抗性周囲電極４６や引き出し線接続用端子部４６−Ａ〜４６−Ｄなどの厚みを厚く表示しているが、実際にはそれぞれ１０μｍ以下で形成できるのでほぼ入力ペン９による座標入力の不感帯は無いに等しい。従って、複数の座標入力パネルを並べても１枚の座標入力パネルとして使用できる。
【００７８】
（実施例３）
本実施例３は、第２の実施の形態に対応するものであり、複数の液晶表示器などの同じ大きさで同じ解像度を持つ表示装置が複数あるマルチディスプレイ状況で、それぞれの表示装置画面上に座標入力パネルが配置されている座標入力装置について説明する。
【００７９】
図１５のように表示装置３０Ａ、３０Ｂ、３０Ｃ、３０Ｄで形成されたマルチディスプレイ状況では、表示装置画面上の座標は表示されている部分で連続である場合が多い。この場合の表示画面を生成するパソコン等は、複数の表示装置が接続されていると認識をせずに、１つの表示装置に１つの表示画面を表示していると考えて表示信号を出力する。マルチディスプレイでは、その表示信号を受け取り、自身で分割することにより各表示装置に表示するから、表示されている部分で連続した座標なことが多い。従って、座標入力装置も表示装置の画面上で連続した１つの座標系にあわせる必要がある。
【００８０】
第２の実施の形態で述べているように、式３及び式４で求まる座標は、各々の座標パネルの座標入力領域８で連続した座標となる。つまり、座標入力領域８を物理的に引き離して、電極接続部２２や引き出し線をケーブル等で電気的に接続することにより離れた領域でも連続した１つの座標系を形成することができる。
【００８１】
表示装置の画面の大きさと同一の抵抗性周囲電極６を作成し、各表示装置画面に合わせて配することにより、マルチディスプレイ状況の表示装置の画面に合わせた、連続した１つの座標系で座標を求めることができる座標検出装置となる。
【００８２】
（実施例４）
本実施例は、第３の実施の形態に対応するものであり、図１６を参照し複数の表示装置と複数の座標入力パネルで構成された座標入力装置について説明する。表示装置３０Ａ、３０Ｂ、３０Ｃ、３０Ｄで形成された大きさや解像度が違う複数の表示装置それぞれに、座標入力パネル１を配する。座標入力パネル１としたが大きさはそれぞれ表示装置に合わせて大小させる。大きさを大小させても、第３の実施の形態で述べているように、抵抗性周囲電極６の横辺同士、縦辺同士の抵抗値は同一でなければならない。また、座標入力パネル１にそれぞれ形成されている面抵抗体５（図１参照）のシート抵抗値も同一が望ましい。次に、並べたときに隣り合う座標入力パネル１の各頂点をケーブルで接続して電極接続部２２を形成する。座標入力パネル１の大きさが違う場合の隣り合う頂点の定義は、全ての座標入力パネル１が同じ大きさとして並べた場合に隣り合う頂点間を接続すればよい。そして、座標入力パネルセットを構成する座標入力パネルのうち、一番左上の座標入力パネルの左上の頂点、一番右上の座標入力パネルの右上の頂点、一番左下の座標入力パネルの左下の頂点、一番右下の座標入力パネルの右下の頂点の４頂点と電極接続部２２のうち外周部に面したものから引き出し線２３ａ、２３ｂ、２３ｃ、２３ｄ、２３ｅ、２３ｆ、２３ｇ、２３ｈをケーブルで引き出し、座標検出回路（図示せず）に接続する。
【００８３】
実際の座標検出の動作は、第３の実施の形態で説明した通りである。
もし、求められる座標が座標入力パネルセット全体の座標であれば、座標入力パネルセットを構成する座標入力パネル１のそれぞれの左上の座標を設定しておき、式１１及び式１２で求められる座標（Ｘｗｈｏｌｅ，Ｙｗｈｏｌｅ）を出力すればよい。また、求められるのが座標入力パネルセットを構成する個々の座標入力パネル１内だけの座標であれば、式７及び式８で求まる入力された座標入力パネルの情報と、式９及び式１０で求まる入力された座標入力パネルの左上が原点の座標（Ｘ（ｍ，ｎ），Ｙ（ｍ，ｎ））の情報を出力する。
【００８４】
第３の実施の形態になる座標入力パネルセットの座標入力パネルの並びは、表示エリアの並びにあわせる必要は無い。例えば、表示装置が横１列に４台並んだ場合でも、本実施例で紹介した図１６のように２×２で並べたと考えて同様なケーブル接続をする。座標出力をする場合には、表示装置の表示エリアに合わせて座標入力パネルセットを構成する座標入力パネル１のそれぞれの左上の座標を横１列に並んだように設定しておき、式１１及び式１２で求められる座標（Ｘｗｈｏｌｅ，Ｙｗｈｏｌｅ）を出力すれば、まるで座標入力パネルが横１列に並んでいるように使用できる。座標入力パネルセットを構成する座標入力パネルを並べる時には、縦に並べる座標入力パネルの数と横に並べる座標入力パネルの数の差があまり出ないように並べると座標検出回路２０のＡ／Ｄコンバータ２５の分解能を不必要に上げずに済む。
【００８５】
（実施例５）
本実施例は、第４の実施の形態に対応するものであり、図１７を参照し、複数の表示装置と複数の座標入力パネルで構成された座標入力装置について説明する。実施例４で用いた座標入力装置について、表示装置３０Ｃ（図１６を参照）及びそれに配した座標入力パネル１を取り外し、代わりに、抵抗３１ａ〜３１ｄを接続する。全てのパネルについて、抵抗性周囲電極６の横辺同士、縦辺同士の抵抗値は同一であるので、抵抗３１ａ及び３１ｃは抵抗性周囲電極６の横辺の抵抗値に、抵抗３１ｂ及び３１ｄは縦辺の抵抗値に、それぞれ一致させる。
【００８６】
座標検出の動作は、実施例４と同じであるが、検出のばらつきを考慮に入れ、数式７及び数式８を用いて、計算された座標の位置が、省かれた座標入力パネル内であったら、当該データをエラーと判断するような処理を追加する。
【産業上の利用可能性】
【００８７】
複数のセンサー部となる座標入力パネル１が電気的に一体化できるために、１つの座標検出回路で座標検出が出来る複数の座標入力パネルで構成された、大型の、また形状が複雑な静電容量型座標入力パネルセットを、低価格で、しかも単位時間あたりの座標検出回数が多い座標検出装置を実現できるものである。
【符号の説明】
【００８８】
１  静電容量結合型座標入力パネル
３  透明絶縁性基材
５  面抵抗体
６  抵抗性周囲電極
６−Ａ  引き出し線接続用端子部
６−Ｂ  引き出し線接続用端子部
６−Ｃ  引き出し線接続用端子部
６−Ｄ  引き出し線接続用端子部
７  引き出し線
８  座標入力領域
９  入力ペン
１０  座標検出回路
１１  入力ペンのケーブル
１２  座標入力範囲外領域
２０  座標検出回路
２１Ａ〜２１Ｄ  座標入力パネル
２２  電極接続部
２３ａ〜２３ｈ  引き出し線
２４  アナログ信号処理部
２５  Ａ／Ｄコンバータ
２６  ＣＰＵ
２７ａ〜２７ｈ  スイッチ
２８  ＡＣ信号発生器またはＡＣ信号発生源
２９  座標入力パネルセット
３０Ａ〜３０Ｄ  表示装置
３１ａ〜３１ｄ  抵抗
４１  抵抗性周囲電極側面配置型座標入力パネル
４３  透明絶縁性基材
４５  面抵抗体
４６  抵抗性周囲電極
４７−Ａ〜４７−Ｄ  引き出し線接続用端子部
１２１Ａ〜１２１Ｄ  座標入力パネル
２２１Ａ〜２２１Ｄ  座標入力パネル
【図１】
2011008757.tif 000005
【図２】
2011008757.tif 000006
【図３】
2011008757.tif 000007
【図４】
2011008757.tif 000008
【図５】
2011008757.tif 000009
【図６】
2011008757.tif 000010
【図７】
2011008757.tif 000011
【図８】
2011008757.tif 000012
【図９】
2011008757.tif 000013
【図１０】
2011008757.tif 000014
【図１１】
2011008757.tif 000015
【図１２】
2011008757.tif 000016
【図１３】
2011008757.tif 000017
【図１４】
2011008757.tif 000018
【図１５】
2011008757.tif 000019
【図１６】
2011008757.tif 000020
【図１７】
2011008757.tif 000021